(57)【特許請求の範囲】
【請求項１】
長手方向の一半側が中空で且つ膨張可能な膨張可能部１２ｃであり、他半側が中実の非膨張部１２ａであるベルト１２と、該ベルト１２の膨張可能部１２ｃ内に配置されたバッグ１１とを有し、
該ベルト１２は、非膨張部１２ａから膨張可能部１２ｃにかけて一連一体に編上げ又は織製により製造されており、
該バッグ１１内にガスが導入されることにより膨張するエアベルトであって、
前記膨張可能部１２ｃは、膨張していない状態において前記非膨張部１２ａよりも幅が大きいことを特徴とするエアベルト。
【請求項２】
請求項１において、前記非膨張部１２ａは１枚のベルトよりなることを特徴とするエアベルト。
【請求項３】
請求項１又は２において、前記ベルト１２は、さらに、前記膨張可能部１２ｃと非膨張部１２ａとの間に中間部１２ｂを有し、該非膨張部１２ａから中間部１２ｂ及び膨張可能部１２ｃにかけてすべて一連一体に編上げ又は織製により製造されており、
該中間部１２ｂは、該膨張可能部１２ｃから非膨張部１２ａにかけて幅が徐々に小さくなっていることを特徴とするエアベルト。
【請求項４】
長手方向の一半側が中空で且つ膨張可能な膨張可能部１２ｃであり、他半側が非膨張部１２ａであり、該膨張可能部１２ｃと非膨張部１２ａとの間に中間部１２ｂを有するベルト１２と、該ベルト１２の膨張可能部１２ｃ内に配置されたバッグ１１とを有し、
該ベルト１２は、非膨張部１２ａから中間部１２ｂ及び膨張可能部１２ｃにかけてすべて一連一体に編上げ又は織製により製造されており、
該バッグ１１内にガスが導入されることにより膨張するエアベルト１０であって、
該膨張可能部１２ｃは膨張していない状態において非膨張部１２ａよりも幅が大きく、
該中間部１２ｂは、該膨張可能部１２ｂから該非膨張部１２ａにかけて幅が徐々に小さくなっていることを特徴とするエアベルト。
【請求項５】
請求項１ないし４のいずれか１項において、前記膨張可能部１２ｃは、筒状の編み物又は織物を熱プレス等によって平たくして１対の平面状部分Ｓ１，Ｓ２を有した偏平物に仕上げられており、
該平面状部分Ｓ１，Ｓ２は、非膨張部１２ａでは相互編込により１葉の中実な帯状物となっていることを特徴とするエアベルト。
【請求項６】
請求項１ないし５のいずれか１項において、前記膨張可能部１２ｃの先端側及び前記バッグ１１の先端側がタング５に接続されていることを特徴とするエアベルト。
【請求項７】
請求項６において、前記非膨張部１２ａは、スルーアンカ６又はエアベルト挿通用の開口に挿通され、リトラクタ７に巻き取られるものであることを特徴とするエアベルト。
【請求項８】
請求項１ないし７のいずれか１項に記載のエアベルト１０と、
該エアベルト１０のバッグ１１内にガスを供給するガス発生装置９と、
を備えてなるエアベルト装置。
【請求項９】
請求項８において、該エアベルト１０の非膨張部１２ａは、スルーアンカ６又はエアベルト挿通用の開口に挿通されていることを特徴とするエアベルト装置。
【請求項１０】
請求項８又は９において、該エアベルト１０の前記膨張可能部１２ｃの先端側及びバッグ１１の先端側が接続されたタング５と、該エアベルト１０の前記非膨張部１２ａを巻き取るリトラクタ７とを有するエアベルト装置。
【発明の詳細な説明】
【０００１】
【発明の属する技術分野】
本発明は、車両等の移動体の乗員を衝突時等に保護するためのエアベルト装置及びそのエアベルトに関するものであり、詳しくはガス発生装置からのガスによって内部のバッグを膨張させるようにしたエアベルト及びエアベルト装置に関する。
【０００２】
【従来の技術】
この種のエアベルト装置として、特開平５−８５３０１号公報記載のものがある。図４は同号公報のエアベルト装置の斜視図である。
【０００３】
このエアベルト装置１は、乗員の右側から左側へ斜めに延設されるエアベルト２と、一端がこのエアベルト２に接続されたウェビング２ａと、乗員の右側から左側へ延設されるラップベルト３と、車体床部等に配設されたバックル装置４と、ベルト装着時にバックル装置４に挿入係止されるタング５と、ウェビング２ａを案内するスルーアンカ６等を備えている。
【０００４】
ウェビング２ａは、従来の一般的なシートベルトと同様のノーマルベルトよりなり、スルーアンカ６に摺動自在に案内掛通されている。ウェビング２ａの他端部は、車体に固定された緊急時ロック機構付きシートベルトリトラクタ（ＥＬＲ）７に巻き取り可能に連結されている。
【０００５】
エアベルト２は上端がウェビング２ａに縫合等により接続され、下端部がタング５に連結されている。
【０００６】
ラップベルト３は、一般的なシートベルトと同様のノーマルベルトにより形成され、その一端がタング５に連結されているとともに、他端が車体に固定されたシートベルトリトラクタ（ＥＬＲ）８に連結されている。バックル装置４には、車両衝突時等の緊急必要時に作動して高圧のガスを発生するガス発生装置９が連結されている。
【０００７】
タング５及びバックル装置４には、ガス発生装置９からのガスをエアベルト２に導くための通路が設けられている。
【０００８】
エアベルト２は、太幅の帯状のバッグを細幅帯状となるように折り畳んでカバーにより覆ったものであり、通常時には帯状に保形されている。このエアベルト装置１は、通常のシートベルト装置と同様に使用される。車両の衝突時等にガス発生装置９が作動すると、エアベルト２が二点鎖線で示すように膨張し、乗員が保護される。
【０００９】
【発明が解決しようとする課題】
上記従来のエアベルト装置にあっては、エアベルト２に連結されたウェビング２ａをリトラクタ７に巻き取らせるようにしている。これは、エアベルト２がウェビング２ａ比べて分厚く、スルーアンカ６を通りにくいと共にリトラクタ７に巻き取りにくいためである。
【００１０】
本発明は、ウェビング２ａを省略しエアベルトの膨張可能部と一連一体のベルトをスルーアンカに通したりリトラクタに直に巻き取るようにすることを目的とする。
【００１１】
【課題を解決するための手段】
本発明（請求項１）のエアベルトは、長手方向の一半側が中空で且つ膨張可能な膨張可能部１２ｃであり、他半側が中実の非膨張部１２ａであるベルト１２と、該ベルト１２の膨張可能部１２ｃ内に配置されたバッグ１１とを有し、該ベルト１２は、非膨張部１２ａから膨張可能部１２ｃにかけて一連一体に編上げ又は織製により製造されており、該バッグ１１内にガスが導入されることにより膨張するエアベルトであって、前記膨張可能部１２ｃは、膨張していない状態において前記非膨張部１２ａよりも幅が大きいことを特徴とするものである。この非膨張部１２ａは１枚のベルトよりなることが好ましい（請求項２）。
【００１２】
かかるエアベルトは他半側が中実であるため、スルーアンカをスムーズに通過すると共に、リトラクタにもスムーズに巻取り及び引出し可能とされる。
【００１３】
本発明（請求項４）のエアベルトは、長手方向の一半側が中空で且つ膨張可能な膨張可能部１２ｃであり、他半側が非膨張部１２ａであり、該膨張可能部１２ｃと非膨張部１２ａとの間に中間部１２ｂを有するベルト１２と、該ベルト１２の膨張可能部１２ｃ内に配置されたバッグ１１とを有し、該ベルト１２は、非膨張部１２ａから中間部１２ｂ及び膨張可能部１２ｃにかけてすべて一連一体に編上げ又は織製により製造されており、該バッグ１１内にガスが導入されることにより膨張するエアベルト１０であって、該膨張可能部１２ｃは膨張していない状態において非膨張部１２ａよりも幅が大きく、該中間部１２ｂは、該膨張可能部１２ｂから該非膨張部１２ａにかけて幅が徐々に小さくなっていることを特徴とするものである。
【００１４】
かかるエアベルトにあっては、細幅の他半側がスルーアンカをスムーズに通過すると共に、リトラクタにもスムーズに巻取り、引出し可能である。このエアベルトは、太幅の膨張可能部から細幅の非膨張部にかけて徐々に小さくなっているので、応力が集中する部分や遊び状部分（ひらひらとした突片状部分）が存在せず、耐久性が良好である。
【００１５】
この請求項４の構成は請求項１，２のエアベルトにも適用可能である（請求項３）。
【００１６】
なお、膨張可能部は非膨張部よりも幅が１〜２ｃｍ広くても良い。
請求項５のエアベルト装置は、請求項１ないし４のいずれか１項において、前記膨張可能部１２ｃは、筒状の編み物又は織物を熱プレス等によって平たくして１対の平面状部分Ｓ１，Ｓ２を有した偏平物に仕上げられており、該平面状部分Ｓ１，Ｓ２は、非膨張部１２ａでは相互編込により１葉の中実な帯状物となっていることを特徴とするものである。
請求項６のエアベルト装置は、請求項１ないし５のいずれか１項において、前記膨張可能部１２ｃの先端側及び前記バッグ１１の先端側がタング５に接続されていることを特徴とするものである。
請求項７のエアベルト装置は、請求項６において、前記非膨張部１２ａは、スルーアンカ６又はエアベルト挿通用の開口に挿通され、リトラクタ７に巻き取られるものであることを特徴とするものである。
【００１７】
本発明のエアベルト装置は、このエアベルトをガス発生器によって膨張可能としたものである（請求項８）。
【００１８】
このエアベルト装置は非膨張部がスルーアンカ又はエアベルト挿通用の開口に挿通されるのが好ましい（請求項９）。このエアベルト装置は、請求項１０の通り、該エアベルトの一端が接続されたタングと、該エアベルトの他端側を巻き取るリトラクタと共に自動車等の車両に設置される。
【００１９】
【発明の実施の形態】
以下図面を参照して本発明の実施の形態について説明する。図１（ａ）はこの実施の形態に係るエアベルト装置を備えた車両内部の斜視図、図１（ｂ）はこのエアベルト装置を示す斜視図である。図２（ａ）はエアベルトの平面図、図２（ｂ）〜（ｅ）はそれぞれ図２（ａ）のＢ−Ｂ線、Ｃ−Ｃ線、Ｄ−Ｄ線、Ｅ−Ｅ線に沿う拡大断面図である。図３（ａ）はエアベルトが膨張した状態におけるエアベルトの断面図である。図３（ｂ）は図３（ａ）のＢ部分の断面図であり、ベルトの織り又は編みの構成を模式的に示している。
【００２０】
この実施の形態に係るエアベルト装置のエアベルト１０は、バッグ１１と、該バッグ１１を囲んでいる織物又は編物よりなるベルト１２とを備えている。バッグ１１は、シートに座った乗員の胸から腹にかけて対面するように配置される。
【００２１】
ベルト１２は、幅方向には柔軟に伸縮するが、長手方向には殆ど伸長しない構成のものとなっている。このベルト１２は、加熱延伸加工を施すことにより、ベルト長手方向（引張方向）への伸びを殆ど無くすようにしている。
【００２２】
このベルト１２は、１枚のベルトよりなる細幅の単層部１２ａと、平たい中空筒状となっている複層部１２ｃと、両者の間の中間部１２ｂとを有する。複層部１２ｃは太幅であり、複層部１２ｃから単層部１２ａにかけては幅が徐々に小さくなる中間部１２ｂとなっている。この中間部１２ｂはテーパ形の平たい筒状となっている。
【００２３】
この複層部１２ｃ内にのみ前記バッグ１１が配置されている。このバッグ１１は、エアベルト１０の長手方向に延在する折り返し線に沿って所要回数折り返されることにより、複層部１２ｃとほぼ同じ幅の細長い折り畳み体とされている。
【００２４】
このバッグ１１の先端側はベルト１２の先端側と共にタング５に接続されている。
【００２５】
ベルト１２の単層部１２ａはスルーアンカ６に挿通され、リトラクタ７に巻取り及び引出し可能に連結されている。
【００２６】
このベルト１２は、単層部１２ａから中間部１２ｂ及び複層部１２ｃにかけてすべて一連一体に編上げ又は織製により製造されている。即ち、ベルト１２は１枚の帯状の布又は織物を２つに折って辺部同士を縫合したものではない。複層部１２ｃ及び中間部１２ｂは１本の筒となるように編上げ又は織製されている。この複層部１２ｃ及び中間部１２ｂは筒状の編み物又は織物を熱プレス等によって平たくして１対の平面状部分Ｓ１，Ｓ２を有した偏平物に仕上げられたものとなっている。
【００２７】
この平面状部分Ｓ１，Ｓ２は、単層部１２ａでは相互編込（インターウーブン）等の手法により１葉の中実な帯状物となっている。従って、単層部１２ａから中間部１２ｂにかけて編物又は織物を構成する糸は連続している。
【００２８】
このエアベルト装置のその他の構成は図４と同様であり、同一符号は同一部分を示している。
【００２９】
このように構成されたエアベルト装置においては、エアベルト１０の単層部１２ａをスルーアンカ６に挿通するようにして自動車に設置される。この単層部１２ａは、従来のウェビングと同様にスムーズにスルーアンカ６を摺動すると共に、リトラクタ７に対しスムーズに巻き取られ、且つ引き出される。
【００３０】
このエアベルト１０は、複層部１２ｃから単層部１２ａにかけて幅が徐々に小さくなる中間部１２ｂを備えており、応力が集中する部分や遊び状部分がなく、耐久性が良好である。
【００３１】
なお、このエアベルト装置において、バックル装置４にタング５を装着した状態でガス発生装置９が作動すると、図３の如くエアベルト１０内のバッグ１１が膨張する。この際、ベルト１２の長手方向の長さが短くなり、エアベルト１０が乗員に密着し、乗員をきわめて確実に保護することが可能となる。即ち、上記の通り、このベルト１２は加熱延伸加工が施されることによりベルト長手方向へは殆ど伸びないものとなっている。バッグ１１が膨らんだときにベルト１２の編目が横方向に広がり、その結果としてベルト１２が長手方向に縮み、エアベルト１０の長手方向の長さが短くなる。
【００３２】
上記実施の形態ではエアベルト１０をスルーアンカ６に掛けているが、リトラクタをピラーやシートバック内に配置したときには、ピラー上部又はシートバック上部に設けられたエアベルト挿通口に対してエアベルトが挿通される。
【００３３】
【発明の効果】
以上の通り、本発明によるとエアベルト自体をスルーアンカやエアベルト挿通口に通したり、リトラクタに直に巻き取ることが可能になる。本発明にあっては、エアベルトがスルーアンカ等をきわめてスムーズに通過すると共に、リトラクタにスムーズに巻取り、引出し可能である。
【図面の簡単な説明】
【図１】  実施の形態に係るエアベルト及びエアベルト装置の構成図である。
【図２】  実施の形態に係るエアベルトの構成図である。
【図３】  実施の形態に係るエアベルトの断面図である。
【図４】  従来のエアベルト装置の構成図である。
【符号の説明】
２  エアベルト
２ａ  ウェビング
３  ラップベルト
４  バックル装置
５  タング
６  スルーアンカ
７  リトラクタ
１０  エアベルト
１１  バッグ
１２  ベルト
１２ａ  単層部
１２ｂ  中間部
１２ｃ  複層部
【図１】
0003899740.tif 000002
【図２】
0003899740.tif 000003
【図３】
0003899740.tif 000004
【図４】
0003899740.tif 000005